(57)【要約】【課題】複数の番組の予約録画をスムーズに行うのは難しい。【解決手段】セレクトキー３９により順次選択し仮予約決定していった番組の識別子を全てメモリに記憶していき、一発予約ボタンが押されると、ステップＳ６からステップＳ１０またはＳ１１までの処理、すなわち、仮予約決定された番組の全ての予約処理を完了させるための一連の処理が自動的かつ連続的に行われる。【選択図】図３
2008034896.tif 000002
【特許請求の範囲】
【請求項１】
セレクトキーにより選択した複数の番組が仮予約され、
一括予約キーにより前記仮予約された複数の番組が本予約されることを特徴とする操作部を有する記録再生装置。
【請求項２】
前記一括予約キーが押されると、さらに、予約に基づく処理が行われることを特徴とする請求項１に記載の記録再生装置。
【請求項３】
前記予約は、番組の録画予約であることを特徴とする請求項１又は２に記載の記録再生装置。
【請求項４】
前記操作部が、リモコン装置に設けられていることを特徴とする請求項１から３までのいずれか１項に記載の記録再生装置。
【請求項５】
前記セレクトキーを操作すると、対応する番組の識別子を記憶するメモリを有し、
前記一括予約キーが押され、前記メモリに記憶されている識別子を読み出して対応する番組を一括して本予約状態とすることを特徴とする請求項１から４までのいずれか１項に記載の記録再生装置。
【請求項６】
モニタに表示させた電子番組表を参照して前記番組の選択を行うことを特徴とする請求項１から５までのいずれか１項に記載の記録再生装置。
【請求項７】
モニタに表示されている現在視聴中番組を選択し、該現在視聴中番組に関連する番組を前記一括予約ボタンにより予約することを特徴とする請求項１から５までのいずれか１項に記載の記録再生装置。
【請求項８】
前記セレクトキーにより選択した番組に対して、仮予約を表示する第１の表示を行うことを特徴とする請求項１から７までのいずれか１項に記載の記録再生装置。
【請求項９】
前記仮予約を解除すると前記第１の表示が非表示となることを特徴とする請求項８に記載の記録再生装置。
【請求項１０】
前記仮予約を一括予約すると、前記第１の表示が、該第１の表示と異なる第２の表示に変更されることを特徴とする請求項８又は９に記載の記録再生装置。
【請求項１１】
前記予約において、所定の条件を満たさない場合には、表示画面に警告を表示させることを特徴とする請求項１から１０までのいずれか１項に記載の記録再生装置。
【請求項１２】
前記一括予約キーが押されると、録画可能容量が録画に必要な容量を上回っているかを調べ、現在放送中の番組でないかを調べ、予約条件を満たしているかを調べ、仮予約を本予約にする一連の処理を自動的に行うことを特徴とする請求項１から１０までのいずれか１項に記載の記録再生装置。
【請求項１３】
選択した複数の番組を仮予約可能なセレクトキーと、
仮予約された複数の番組を本予約状態とする一括予約キーと
を備えることを特徴とする操作部を有する記録再生装置のリモコン装置。
【請求項１４】
選択した複数の番組を仮視聴予約可能なセレクトキーと、
仮視聴予約された複数の番組を本視聴予約状態とする一括予約キーと
を備えることを特徴とする操作部を有する電子機器。
【請求項１５】
前記一括予約キーが押されると、さらに、予約に基づく再生処理が行われることを特徴とする請求項１４に記載の記録再生装置。
【請求項１６】
記録再生装置における録画方法であって、
セレクトキーにより選択された複数の番組の識別子をメモリに記憶させるステップと、
一括予約キーにより前記メモリに記憶された前記複数の番組を一括して録画処理するステップと
を有することを特徴とする録画方法。
【請求項１７】
コンピュータに請求項１６に記載のステップを実行させるためのプログラム。
【発明の詳細な説明】
【技術分野】
【０００１】
本発明は、記録再生装置に関し、特に、複数の番組を簡単に予約する機能を備えた記録再生装置に関する。
【背景技術】
【０００２】
最近、デジタル放送の普及に伴って、ハードディスクや大容量光ディスクの記録装置を有する記録再生装置が広く使われるようになってきている。記録再生装置の機能の１つとして番組予約機能がある。
【０００３】
例えば、特許文献１においては、記録・表示手段により表示させたテレビ番組欄から予約記録する番組を指定する指定手段と、録画予約信号の生成手段と、を設けている。これにより、装置の操作性を改善し、簡単に予約記録が行えるようにした技術が記載されている。
【０００４】
また、特許文献２、３には、番組表データの抽出手段とOSD表示手段と、表示データに基づいて所定の番組を選択する番組選択手段と録画機器に録画予約させる予約手段と、を設け、リモコンの簡単な操作で録画予約を行うことができる技術が記載されている。
【０００５】
【特許文献１】特開2001-223971号公報
【特許文献２】特開平8-36605号公報
【特許文献３】特開2004-135356号公報
【発明の開示】
【発明が解決しようとする課題】
【０００６】
上記特許文献１〜３までにおいては、例えばデジタル放送受信装置の表示部に電子番組表を表示させ、リモコンなどで番組を選択するという簡単な操作で録画予約を行うことができる。
【０００７】
しかしながら、複数の番組を録画予約をする場合には、１つ１つの番組をリモコンで選択し、予約録画決定のボタンを押す操作が必要である。従って、複数の番組の予約録画に関する操作をスムーズに行うことは難しかった。
【０００８】
本発明は、複数の番組の予約処理をスムーズに行うことが出来る技術を提供することである。
【課題を解決するための手段】
【０００９】
本発明によれば、セレクトキーにより選択した複数の番組が仮予約され、
一括予約キーにより前記仮予約された複数の番組が本予約されることを特徴とする操作部を有する記録再生装置が提供される。これにより、複数の番組を選択した後に一括して予約処理を確定させることができるため、操作が簡単になる。
【００１０】
前記一括予約キーが押されると、さらに、予約に基づく処理が行われることが好ましい。前記予約は、番組の録画予約であるのが好ましい。
【００１１】
前記操作部が、リモコン装置に設けられているのが一般的である。前記セレクトキーを操作すると、対応する番組の識別子を記憶するメモリを有し、前記一括予約キーが押され、前記メモリに記憶されている識別子を読み出して対応する番組を一括して予約することもできる。モニタに表示させた電子番組表を参照して前記番組の選択を行うことで、よりスムーズな予約処理を行うことが可能である。
【００１２】
モニタに表示されている現在視聴中番組を選択し、該現在視聴中番組に関連する番組を前記一括予約ボタンにより予約することもできる。
【００１３】
前記セレクトキーにより選択した番組に対して、仮予約を表示する第１の表示を行うことが好ましい。これにより、仮予約されたかどうかを確認することができる。前記仮予約を解除すると前記第１の表示が非表示となるようにすることもできる。
【００１４】
前記仮表示を一括予約すると、前記第１の表示が、該第１の表示と異なる第２の表示に変更されることが好ましい。これにより、ユーザは、仮予約か本予約かを判別することが容易になる。前記予約において、所定の条件を満たさない場合には、表示画面に警告を表示させるようにしても良い。また、前記一括予約キーが押されると、録画可能容量が録画に必要な容量を上回っているかを調べ、現在放送中の番組でないかを調べ、予約条件を満たしているかを調べ、仮予約を本予約にする一連の処理を自動的に行うことが好ましい。
本発明の他の観点によれば、選択した複数の番組を仮予約可能なセレクトキーと、仮予約された複数の番組を本予約状態とする一括予約キーと、を備えることを特徴とする操作部を有する記録再生装置のリモコン装置が提供される。
【００１５】
本発明の別の観点によれば、選択した複数の番組を仮視聴予約可能なセレクトキーと、仮視聴予約された複数の番組を本視聴予約状態とする一括予約キーと、を備えることを特徴とする操作部を有する電子機器が提供される。
【００１６】
また、記録再生装置における録画方法であって、セレクトキーにより選択された複数の番組の識別子をメモリに記憶させるステップと、一括予約キーにより前記メモリに記憶された前記複数の番組を一括して録画処理するステップと、を有することを特徴とする録画方法が提供される。上記方法は、コンピュータに各ステップを実行させるためのプログラムによって実行されるようにしても良い。
【発明の効果】
【００１７】
本発明によれば、録画を希望する複数の番組をまとめて選択し、一つのキー操作で録画予約をすることができるので、簡単な操作で番組の録画（予約）ができる。
【００１８】
また、番組毎に録画予約済みの表示がなされるので、予約済み番組を確認し易いという利点がある。
【発明を実施するための最良の形態】
【００１９】
本明細書において、予約とは、録画の予約と視聴の予約を含む。以下では、録画予約を例にして説明する。視聴予約の場合には、記憶容量の問題などは生じない。
【００２０】
以下、本発明の一実施の形態による記録再生装置について図面を参照しながら説明を行う。図１は、本発明の一実施の形態による記録再生装置を含むデジタル機器システムの一構成例を示す機能ブロック図である。図１に示すように、本実施の形態によるデジタル機器システムＡは、記録再生装置１と、これを操作するためのリモコン装置３と、デジタル放送受信装置などの表示装置（モニタ）５と、を有している。表示装置５は、デジタルテレビなどでも良いし、アナログテレビでも良い。本実施の形態による記録再生装置１は、光ディスクなどの外部記録メディア（ここではＤＶＤディスクを例にして説明する）７ａに記録再生可能なＤＶＤ駆動部７と、メモリ１１と、リモコン装置３からのリモコン信号を受光するリモコン受光部１７と、全体を制御するＣＰＵなどの制御部２７と、ユーザの設定を記録するユーザ設定記録部１５と、例えばハードディスクなどの映像データなどを記録する内蔵映像データ記憶部２３と、映像信号を処理する映像信号処理部２１と、映像に関する表示制御を行う表示制御部２５であって、表示装置５に対して映像の表示を行うための制御を行う表示制御部と、を有している。メモリ１１は、例えば、ＲＯＭとＲＡＭとを含んでおり、ＲＯＭには、制御部（マイコン）に以下に述べる処理を実行させるためのプログラムが格納されており、これを高速処理が可能なＲＡＭに展開して、ＣＰＵで実行させる。
【００２１】
図２Ａ、図２Ｂは、本実施の形態による記録再生装置に関連する一発（一括、以下、「一発」と称する。）予約処理の流れを示すフローチャート図である。図３は、本実施の形態によるリモコン装置の操作ボタンの構成例を示す図である。図３に示すように、リモコン装置には多くの操作ボタンが設けられているが、電子番組表（ＥＰＧ）を表示させるためのボタン３１と、方向キー３３と、決定ボタン３５と、一発予約ボタン３７と、セレクトキー３９と、を有している。セレクトキー３９は、録画リスト及び電子番組表上の項目を複数選択する際に操作するキーであり、選択された子項目（番組）には後述するようにマークが表示される。
【００２２】
図２Ａ、図２Ｂに示すように、まず、ステップＳ１において記録再生装置の電源をオンし、ステップＳ２において表示装置において電子番組表の表示を行わせる。ステップＳ３において、ユーザが設定可能な予約動作設定を読み込む。ユーザが設定可能な予約動作設定とは、例えば、録画画質、毎日予約・毎週予約などである。
【００２３】
次いで、ステップＳ４において、リモコン又は機器本体に設けられている操作カーソル（方向キー３３）により、予約を行いたい番組にフォーカスを合わせ、次いでセレクトキー３９（図３）により予約の仮予約決定を行う。この際、仮予約決定された番組にはマークが付される。次いで、ステップＳ５において、リモコンの一発予約３７（図３）キーが押されると（ＹＥＳ：一発予約）、ステップＳ６に進み、ステップＳ４において選択処理に基づいて仮予約決定された番組（後述する選択マークが付された１又は複数の番組）の総録画予定時間を算出し、番組録画対象となる記録装置（ＨＤＤ又はＤＶＤなど）の残記憶容量以内であるか否かを判定する。この判定により、選択された総番組の予約が記憶容量の観点から可能であるか否かを判断する。判定結果がＹＥＳであればステップＳ７に、ＮＯであればステップＳ１６に進む。ステップＳ１６において、条件を満たさない旨を表示し、ステップＳ１７（Ａ）からステップＳ４に戻る。記憶容量が足りない場合には、例えば一度選択された番組をもう一度選択することで選択を解除することができる。戻った場合にも後述する選択マークは非表示となる。
【００２４】
次いでステップＳ７に進み、セレクトキーで選択した（仮予約決定された）番組が、現在放送中の番組でないかどうかを判定する。現在放送中の番組であれば（ＮＯ）、予約はできないからである。現在放送中の番組でない場合には（ＹＥＳ）予約が可能であるため、ステップＳ８に進み、その他の予約条件を満たすか否かを判定する。その他の予約条件とは、例えば、コピーガードがかかっているか否か、或いは、録画禁止のコンテンツであるか否かなどの予約に関する一般的な条件（制約）である。この場合も条件を満たさなければ（ＮＯ）、ステップＳ１６に進む。条件を満たせば（ＹＥＳ）ステップＳ９に進み、選択されているモードはＨＤＤモードか否かを判定する。ＨＤＤモードであれば（ＹＥＳ）ステップＳ１０に進み、仮予約決定された番組の事前の予約動作設定に基づいたＨＤＤ記録予約を確定する。ＮＯであれば、ステップＳ１１に進み、選択により仮予約決定された番組の事前の予約動作設定に基づいたＤＶＤ記録予約を確定する。尚、より詳細な設定項目（録画モード、記録先、翌週も近似の番組がある場合には、毎週予約、翌日になる場合は毎日予約など）として、番組選択時（ステップＳ４）において、ＨＤＤかＤＶＤかの個別設定を行うようにすることもできる。このような設定を行った場合には、個別にＨＤＤとＤＶＤとのそれぞれの残容量を計算するようにして録画予約が可能かどうかを判断しても良い（ステップＳ６）。一方の残容量が足りなければ、他方に予約を振り分けても良い。
【００２５】
ここで特徴的なことは、セレクトキー３９により順次選択し仮予約決定していった番組の識別子（タイトル又はＩＤなど）を全てメモリに記憶していき、一発予約ボタンが押されると、ステップＳ６からステップＳ１０またはＳ１１までの処理、すなわち、仮予約決定された番組の全ての予約処理を完了させるための一連の処理が自動的かつ連続的に行われることである。
【００２６】
一方、ステップＳ５において、番組選択後に一発予約キーが押されなかった場合（セレクトキーが押された場合）には、ステップＳ１２に進み、ステップＳ６〜ステップＳ８と同様の処理がステップＳ１２からステップＳ１４で行われた後、ステップＳ１５において、仮予約決定番組として選ばれたタイトルに予約選択の対応するマークを表示し、ステップＳ４に戻る。すなわち、番組選択後に一発予約キーが押されなかった場合には、仮予約番組をさらに追加して選択する処理を継続することができることを意味する。また、ステップＳ１７は、実際にはステップＳ４に戻る処理であり、条件を満たさない旨を表示した後に、番組予約の選択を再開する。  
【００２７】
尚、この警告の表示には、問題点の所在、解決の方針などのガイダンス表示がなされているのが好ましい。例えば、残容量が足りない場合には、どの程度足りないか、どのようにすれば解決できるか（例えばＤＶＤディスクの交換又は録画画質を低下させること）などを提示するのが好ましい。これらの提示は、次に予約する番組の選択の方針をユーザに与えることにもなる。
【００２８】
また、ステップＳ４に戻った場合に、それまでに選択された番組をリスト表示するのが好ましい。ユーザは、そのリスト表示を参照しながら、予約番組の取捨選択をすることにより、それまでに選択しメモリに記憶させておいたリストを活用することができる。この予約リストになった時点で、一般的な予約リストと同じものとなる。この時点で、メモリに順次記憶していったＩＤを消去しても良い。
【実施例１】
【００２９】
以下に、本発明のより具体的な実施例について図面を参照しながら説明を行う。図４Ａ〜図４Ｄは、本発明の実施例１による処理の流れる様子をＥＰＧ画面とリモコン操作とを対比させて示す図である。まず、一発予約の設定内容及び変更の操作の基本的な考え方について説明する。
【００３０】
【表１】
2008034896.tif 000003
【００３１】
表１は、予約設定内容及び変更の操作に関する仕様例を示す表である。表１に示すように、例えば以下のように予約設定が行われる。
１）電子番組表において、予約登録された番組に対しては、識別子（例えば予約マークＨ）を付して表示し、予約登録された番組であることを報知する。
２）予約先は、現在設定されているモード（ＤＶＤモード又はＨＤＤモード）を基本とする。
３）録画画質等は、事前に設定しておくか、或いは、選択された番組の属性や他の録画条件等に基づいて自動的に設定するようにする。
４）予約の内容変更や取り消しは、他の予約と同様に、予約マークＨが付されている番組を選んで、リモコンの決定ボタンを押す。
５）記憶部の残量（時間）、予約時間の重複など予約条件を満たさない場合には、それぞれの警告文を表示する。
【００３２】
上記基本原理に基づいて、以下に電子番組表からの番組の操作手順（１）について説明する。図４Ａ〜図４Ｄに示すように、まず、第１手順として、リモコン装置の番組表ボタン３１を押す。すると、表示部に電子番組表４１が画面表示される。ここでは、１つの番組４３にフォーカスがあたっている。操作手順（２）において、リモコン装置の方向キー３３を操作して電子番組表４１内においてフォーカスを移動させることにより選択候補の番組４５にフォーカスを合わせる。次いで、操作手順（３）において、選択候補の番組を選択するための処理として、リモコン装置のセレクトキー３９を押す。この際、メモリにも番組の識別子が予約済みフラグとともに記憶される。さらに、マークが表示される。
【００３３】
このマークは、番組の選択による仮予約決定処理が完了し、番組予約の仮決定が行われている番組であることを報知するためのマークであり、例えば、この仮予約決定マーク（ここではＨマーク）４７が番組に付随して表示される。尚、再度、決定ボタン３５を押すと、予約が仮決定された番組の仮予約が解除されるとともに、（Ｈ）マーク４７も非表示となる。また、来週の同時刻又は翌日の同時刻に近似する番組がある場合には、自動的に予約するようにしても良いし、予約を促す表示を行うようにしても良い。
【００３４】
第４手順においては、第１〜第３までの手順と同様にして、次の予約番組をセレクトキーで選択し、新たな番組の仮予約決定処理を継続して行う。仮予約決定処理が終了すると、ユーザは一発予約キー３７を押すことで、仮予約決定されていた全ての番組に関して、本予約として予約を確定するための一連の処理を行う。上記Ｈマークも他のマーク又は色の変更などにより、予約が確定したことをユーザに報知するとともに、例えば、３秒間だけ「番組の予約が確定しました。」というような表示を行う。この際、予約された番組のＩＤを同時に表示させてユーザに確認させることも可能である。
【００３５】
次いで、再度、電子番組表を表示させ、例えば上記Ｈマークにフォーカスを合わせた状態で一発予約ボタン３７を押すと、予約を個別の番組毎に解除することも可能である。この場合には、Ｈマークは非表示となる。
【００３６】
以上に説明したように、本実施の形態による記録再生装置においては、電子番組表から番組を選択しこれを仮予約状態とするセレクトキーと、仮予約状態になっている複数の番組について本予約状態を確定するための一発予約キーとを設けることにより、選択された複数の番組を簡単な操作により録画予約又は視聴予約等の予約処理を行うことができるという利点がある。
【実施例２】
【００３７】
図５は、本発明の実施例２による記録再生装置の操作手順（２）の様子を示す図である。操作手順（２）では、視聴番組からの一発予約を特徴とする。すなわち、まず、番組を視聴中に一発予約ボタンを押す。すると、制御部が、現在視聴中の番組と何らかの関連性を有する番組を検索する。例えば次週の同じ時間帯、同じチャネルの番組などのシリーズ物の番組を自動的に予約する処理を行う。この際、例えば視聴中の表示画面４１において、「来週のこの番組を予約しました。」などの表示により、ユーザに予約を行ったことを報知する。このメッセージは、例えば３秒程度表示すれば良い。予約の修正や取り消しは、予約リストから行うことができる。また、予約が重なる場合には、警告表示を行いユーザに適切な対処を促すようにすれば良い。
【００３８】
以上に説明したように、本実施の形態による記録再生装置によれば、複数の番組を一括して予約する操作を簡単にすることができるという利点がある。
【００３９】
尚、セレクトキーや一発予約キーなどは、記録再生装置本体に設けられていても良いし、例えば携帯端末機器などから記録再生装置を遠隔操作できる場合には、携帯端末機器に設けられていても良い。
【産業上の利用可能性】
【００４０】
本発明は、記録再生装置又はそのリモコン装置に利用可能である。視聴予約であれば、テレビジョン受信装置にも利用可能である。
【図面の簡単な説明】
【００４１】
【図１】本発明の一実施の形態による記録再生装置を含むデジタル機器システムの一構成例を示す機能ブロック図である。
【図２Ａ】本実施の形態による記録再生装置に関連する一発予約処理の流れを示すフローチャート図である。
【図２Ｂ】図２Ａに続く図である。
【図３】本実施の形態によるリモコン装置の操作ボタンの構成例を示す図である。
【図４Ａ】本発明の実施例１による処理の流れる様子をＥＰＧ画面とリモコン操作とを対比させて示す図である。
【図４Ｂ】図４Ａに続く図である。
【図４Ｃ】図４Ｂに続く図である
【図４Ｄ】図４Ｃに続く図である
【図５】本発明の実施例２による記録再生装置の操作手順（２）の様子を示す図である。
【符号の説明】
【００４２】
Ａ…デジタル機器システム、１…記録再生装置、３…リモコン装置、５…表示装置（モニタ）、７…ＤＶＤ駆動部、７ａ…外部記録メディア部、１１…メモリ、１５…ユーザ設定記録部、１７…リモコン受光部、２１…映像信号処理部、２３…内蔵映像データ記憶部、２５…表示制御部、２７…制御部、３３…方向キー、３５…決定ボタン、３７…一発予約ボタン、３９…セレクトキー。
【図１】
2008034896.tif 000004
【図２Ａ】
2008034896.tif 000005
【図２Ｂ】
2008034896.tif 000006
【図３】
2008034896.tif 000007
【図４Ａ】
2008034896.tif 000008
【図４Ｂ】
2008034896.tif 000009
【図４Ｃ】
2008034896.tif 000010
【図４Ｄ】
2008034896.tif 000011
【図５】
2008034896.tif 000012